(57)【要約】【課題】蔵を有する蔵階を備えた蔵階付き建物において、蔵への物品の搬入、搬出作業を容易に行うことができるようにする。【解決手段】２階３と１階２の間に収納室である蔵Ｋ１を有する蔵階４を備えた蔵階付き建物１において、蔵階４には、建物の正面側に蔵階居室４１が設けられるとともに、建物の背面側に２つの蔵Ｋ１，Ｋ２が前記蔵階居室４１に面して設けられ、これら蔵Ｋ１，Ｋ２と蔵階居室４１の床レベルは同一となっており、前記２つの蔵Ｋ１，Ｋ２の出入口４５，４５は、前記蔵階居室４１に面して設けられ、前記２つの蔵Ｋ１，Ｋ２の間には下階から前記蔵階居室４１に至る階段２７と、この蔵階居室４１から上階に至る階段４２とが設けられているので、蔵Ｋ１，Ｋ２への物品の搬入あるいは蔵Ｋ１，Ｋ２からの物品の搬出作業を容易に行える。【選択図】図７
2006118354.tif 000002
【特許請求の範囲】
【請求項１】
上階と下階の間に収納室である蔵を有する蔵階を備えた蔵階付き建物において、
前記蔵階には、建物の正面側に蔵階居室が設けられるとともに、建物の背面側に２つの蔵が前記蔵階居室に面して設けられ、これら蔵と蔵階居室の床レベルは同一となっており、前記２つの蔵の出入口は、前記蔵階居室に面して設けられ、前記２つの蔵の間には下階から前記蔵階居室に至る階段と、この蔵階居室から上階に至る階段とが設けられていることを特徴とする蔵階付き建物。
【請求項２】
請求項１に記載の蔵階付き建物において、
前記屋根の棟下には仕切り壁部が設けられており、この仕切り壁部によって前記蔵階居室と前記２つの蔵とが仕切られていることを特徴とする蔵階付き建物。
【請求項３】
請求項１または２に記載の蔵階付き建物において、
前記蔵の上の上階部分には上階の居室が設けられ、この居室に隣接して該居室と床レベルが同一の収納庫が前記仕切り壁部と対向する外壁の内側に設けられていることを特徴とする蔵階付き建物。
【発明の詳細な説明】
【技術分野】
【０００１】
本発明は、上階と下階との間に蔵階を備えた蔵階付き建物に関する。
【背景技術】
【０００２】
上階（例えば２階）と下階（例えば１階）との間に蔵階を備えた建物の一例として特許文献１に記載のものが知られている。この建物では、１階と２階の間に収納室である蔵を有する蔵階が設けられており、蔵階の蔵の出入口は、１階と２階とを連絡する階段の踊り場に面して設けられている。
【特許文献１】特開平６−３２３００９号公報
【発明の開示】
【発明が解決しようとする課題】
【０００３】
ところで、従来の蔵階を備えた建物では、１階と２階との間に設けられた蔵の出入口は階段の踊り場に面して設けられているため、蔵への物品の搬入作業や蔵からの物品の搬出作業は、建物内において占有スペースが小さい階段や階段の踊り場、つまり作業スペースが小さい階段や階段の踊り場を介して行われることになり、その作業に手間が掛かる。
また、蔵への物品の搬入作業や蔵からの物品の搬出作業を行う際には踊り場を用いるので、その作業の間、他の居住者は階段を使用することができない。
【０００４】
本発明の課題は、蔵を有する蔵階を備えた蔵階付き建物において、蔵への物品搬入作業や蔵からの物品搬出作業を容易に行うことができるとともに、蔵への物品の搬入作業や蔵からの物品の搬出作業の最中でも階段を利用できるようにすることである。
【課題を解決するための手段】
【０００５】
以上の課題を解決するため、請求項１記載の発明は、例えば、図５〜図９に示すように、上階（例えば２階３）と下階（例えば１階２）の間に収納室である蔵Ｋ１を有する蔵階４を備えた蔵階付き建物１において、
前記蔵階４には、建物の正面側に蔵階居室４１が設けられるとともに、建物の背面側に２つの蔵Ｋ１，Ｋ２が前記蔵階居室４１に面して設けられ、これら蔵Ｋ１，Ｋ２と蔵階居室４１の床レベルは同一となっており、前記２つの蔵Ｋ１，Ｋ２の出入口４５，４５は、前記蔵階居室４１に面して設けられ、前記２つの蔵Ｋ１，Ｋ２の間には下階から前記蔵階居室４１に至る階段２７と、この蔵階居室４１から上階に至る階段４２とが設けられていることを特徴とする。
【０００６】
ここで、上階及び下階、蔵はパネル工法によって構成してもよいし、ツーバイフォー工法や従来の軸組工法により構成されてもよく、その他、鉄骨造、コンクリート造によって構成されてもよい。
【０００７】
請求項２に記載の発明は、請求項１に記載の蔵階付き建物において、
前記屋根の棟下には仕切り壁部４４が設けられており、この仕切り壁部４４によって前記蔵階居室４１と前記２つの蔵Ｋ１，Ｋ２とが仕切られていることを特徴とする。
【０００８】
請求項３に記載の発明は、請求項１または２に記載の蔵階付き建物において、
前記蔵Ｋ１，Ｋ２の上の上階部分には上階の居室３２，３３が設けられ、この居３２，３２に隣接して該居室３２，３３と床レベルが同一の収納庫３２ｄ，３３ｄが前記仕切り壁部４４と対向する外壁の内側に設けられていることを特徴とする。
【発明の効果】
【０００９】
本発明によれば、上階と下階の間の蔵階に、収納室となる蔵に隣接して床レベルが同一の居室が設けられ、前記蔵の出入口が前記蔵階居室に面しているので、前記蔵へ物品を搬入する作業や蔵から物品を搬出する作業は蔵と同一レベルの床を有する前記蔵階居室を介して行う。つまり、蔵を利用する際に、建物内において階段や踊り場などと比べて占有スペースが大きい蔵階居室を用いて行うので、蔵への物品の搬入作業や蔵からの物品の搬出作業を容易に行うことができるとともに、蔵の利用を居室のみを使用して行うことができるので、蔵利用の際にも、居室以外の室、例えば階段、踊り場などを利用することができる。
また、蔵階居室には、上階に至る階段が設けられているので、蔵と上階とが、蔵階居室及び階段を介して接続された状態となり、蔵から居室に搬出された物品を階段を介して上階に運搬することや、上階から物品を階段及び居室を介して蔵に搬入することができる。
【発明を実施するための最良の形態】
【００１０】
以下、図を参照して本発明の実施の形態を詳細に説明する。
まず、構成を説明する。
図１〜図１３に示す蔵階付き建物１は、２階建ての木質系プレファブ住宅であり、１階（下階）２と２階（上階）３との間に蔵階４を備えた構成となっている。蔵階４とは、物品の保管、貯蔵のための蔵Ｋ１，Ｋ２を備えた階のことであり、この蔵階４の蔵Ｋ１，Ｋ２の高さは約１．４メートル程度となっている。
【００１１】
ここで蔵階４の蔵Ｋ１，Ｋ２の高さを約１．４ｍとしたのは、平均的な身長の大人が例えば腰や頭を少し低くした状態で、あるいは椅子に座った状態等で自由に移動できる高さを想定したものであり、物品の搬入や搬出に十分な高さである。なお、蔵階４の蔵Ｋ１，Ｋ２の高さは約１．４ｍに限定されるものではなく、軒高の制限のもとで１階部分の高さと蔵階上の２階部分の高さとの関係で決定されるようになっている。具体的には蔵階４の蔵Ｋ１，Ｋ２天井高の上限は平均的な身長の大人が背伸びした状態でその手を物に届かすことができる高さ、例えば約２．２ｍ程度にすることができる。この点はそれ以上の高さとしても上部はあまり利用されないという利用効率の点からも望ましい。また前記高さの下限は、物品の搬入や搬出にそれほど不自由なく利用できる高さ、即ち大人が屈んで作業できる高さ、例えば１．２ｍ程度にすることができる。
【００１２】
まず、構造を説明する。
１階は以下のような構成となっている。なお、ここでは図５、図１０〜図１３を主に参照して蔵階付き建物１の蔵Ｋ２部分の構造を説明する。
すなわち、基礎１１５に床パネルが複数設置されることによって、１階床１２０が形成されている。この床パネル１２０上には１階壁（下階壁）１２１が立設されている。この１階壁１２１は、複数の壁パネルを連結することによって構成されたものである。壁パネルは、框材を矩形枠状に組立て、この矩形枠の表裏両面にそれぞれ合板等の面材を取り付けたものである。このような壁パネルによって構成された１階壁１２１の表面には、図示しない防水透湿シートが取り付けられたうえで、胴縁を介して外装材１２２が取り付けられている。この外装材１２２は１階壁１２１の表面に工場等によって予め取り付けられたものである。なお、外装材１２２は現場で１階壁１２１に取り付けてもよい。
【００１３】
蔵階および２階は以下のような構成となっている。
すなわち、前記１階壁１２１の上端面には、蔵階床となる床部４３が固定されている。この床部４３は、複数の床パネルを連結することによって構成されたものである。床パネルは、框材を矩形枠状に組立て、この矩形枠の上面に合板等の面材を取り付けたものである。このような床部４３は、図５に示すように、対向する外壁間に亙って設けられており、これによって建物の水平構面を構成している。
【００１４】
前記床部４３には、２階壁（上階壁）１２４が固定されている。この２階壁１２４は、複数の壁パネルを連結することによって構成されたものである。壁パネルは、框材を矩形枠状に組立て、この矩形枠の表裏両面にそれぞれ合板等の面材を取り付けたものである。このような壁パネルによって構成された２階壁１２４の表面には、図示しない防水透湿シートが取り付けられたうえで、胴縁を介して外装材１２５が取り付けられている。この外装材１２５は２階壁１２４の表面に工場等によって予め取り付けられたものである。なお、外装材１２５は現場で２階壁１２４に取り付けてもよい。
【００１５】
前記床部４３は１階壁１２１と２階壁１２４に挟まれており、これら壁１２１、１２４の双方に接着や釘打ちによって固定されている。また、壁１２１、１２４は床部４３の端部を貫通する胴差ボルト（図示略）によって締結され、これによっても床部を構成する床パネルは上下の壁１２１、１２４の双方に固定されている。
また、１階壁１２１と２階壁１２４とは上下の長さが等しくなっており、２階壁１２４の上端面には、受材１２６が固定され、複数の屋根パネルによって構成された屋根１４０の軒先部が受材１２６によって支持されている。なお、屋根１４０は、ここでは１７７ｍｍの厚みを有する屋根パネルによりなり、受材１２６と棟側の梁１４１とで支持され、これら受材１２６と梁１４１との間の中間梁、つまり母屋梁を不要としている。これにより上階内の空間を広いものとしている。さらに、２階壁１２４の側面には、以下のようにして２階の床部（上階床部）３１が固定されている。
【００１６】
すなわち、まず、２階壁１２４は、図１１に示すように、複数枚の壁パネル１３０、１３０、１３１、１３２、１３３で構成されている。壁パネル１３０、１３０は上下に長尺なものであり、これら壁パネル１３０、１３０の上半分間に壁パネル１３１が配置され、この壁パネル１３１は壁パネル１３０、１３０に連結されている。また、壁パネル１３０、１３０の下半分間には、壁パネル１３２、１３３が上下に離間して配置され、これらは壁パネル１３０、１３０に連結されている。壁パネル１３０、１３０、１３１、１３２によって囲まれた部分は開口部１４２とされており、この開口部１４２には、図示しない建具がはめ込まれて蔵Ｋ２の窓１４４（図４参照）となる。
【００１７】
また、壁パネル１３０は、図１２に示すように、桟材１３０ａ、１３０ｂを矩形枠状に組立ててなる矩形枠を備えている。この矩形枠の内部には、補強桟材１３０ｃ、１３０ｄが縦横に組付けられている。また、矩形枠の内部には、埋木（固定部材）１３４が組み付けられている。この埋木１３４は後述する受材を固定するためのものであり、桟材によって形成されている。また、埋木１３４は、壁パネル１３０の上下方向の中央部に桟材１３０ｄと平行に設けられており、埋木１３４の端部は桟材１３０ａ、１３０ｃにそれぞれ突き当てて接着や釘打ちによって固定されるか、あるいは埋木１３４の端部と桟材１３０ａ、１３０ｃとに互いに係合する相欠きを形成し、これら相欠きによる係合によって固定されている。また、前記矩形枠の表裏両面には合板等からなる面材（図示略）が取り付けられている。
なお、本実施の形態では、埋木１３４を壁パネル１３０の上下方向の中央部に設けているが、これに加えて、埋木１３４を上下に所定間隔（例えば１５１ｍｍピッチ）で設けてもよい。
【００１８】
埋木１３４が設けられた壁パネル１３０を備えた２階壁１２４の内側の側面には、図１０および図１３に示すように、２階壁１２４の上下方向中央部に受材１３５が固定されている。この受材１３５は２階壁１２４の幅方向に長尺な角材で形成されたもので、受材１３５から埋木１３４に向けて釘３５ａを打ち込むことによって２階壁１２４の内側の側面に受材１３５が固定されている。
なお、図１０においては一方の２階壁１２４に固定された受材１３５を図示しているが、一方の２階壁１２４に対向する他方の２階壁内にも同様にして埋木が設けられ、この埋木に受材が固定されている。
【００１９】
そして、前記受材１３５には２階の床部３１に端部が設置固定されており、これによって、２階の床部３１を２階壁１２４の側面に容易かつ確実に固定できる。
２階の床部３１は、複数の床パネルを連結することによって構成されている。この床パネルは框材を矩形枠状に組立て、この矩形枠の上面に合板等の面材を取り付けてなるもので、これら床パネルによって構成された２階の床部３１の下面には天井材１３６が取り付けられている。
【００２０】
蔵階の蔵Ｋ２は床部４３と、２階の床部３１との間に設けられており、この蔵階の蔵Ｋ２には、１階から２階に至る階段（図示略）の踊り場から行き来できるようになっている。
また、２階の床部３１には、この２階の床部３１を上下に貫通する開口部３２ｂ（後述する）が形成されている。なお、開口部３２ｂと蔵階床部４３との間には階段１３７が設けられており、この階段１３７を通って２階から蔵階の蔵Ｋ２に出入りできるようになっている。このように、１階壁１２１の上端面に固定された蔵階の床部４３が水平構面を構成しており、この蔵階の床部４３に固定された２階壁１２４の側面に２階の床部３１が固定されているので、２階の床部３１の上下位置を変更する場合、１階壁１２１および２階壁１２４の高さを設計変更することなく、かつ、水平構面の構造設計を見直すことなく、２階壁１２４の側面に対する２階の床部３１の固定位置を変更するだけでよい。したがって、２階の床部３１の上下位置を簡単に変更できる。また、１階壁１２１と２階壁１２４とは上下の長さがほぼ等しいので、これら壁１２１、１２４をトラックの荷台に効率よく積み込むことができ、よって輸送効率が向上する。さらに、２階壁１２４内に、受材１３５を固定するための埋木１３４を上下に所定間隔で複数設け、所望の埋木１３４を選択することによって、２階の床部３１が固定される受材１３５の固定位置を選択でき、よって、２階の床部３１の高さ位置を容易に変更できる。
【００２１】
次に蔵階付き建物１の間取りを説明する。
図６に示すように、蔵階付き建物１の１階２には、蔵階付き建物１の正面側の外壁１１に沿って和室２１と、和室２１に隣接する１階居室２２とが左右に並んで配置され、和室２１の奧側には和室２１に隣接して玄関２３が配置されている。この玄関２３の奧側には浴室２４、洗面所（水回り設備を備えた室）２５が配置されている。
【００２２】
また、洗面所２５と玄関２３の玄関ホール２３ａの右側には、前後方向に延在し、一端部が建物１の背面側の外壁１２に突き当たるとともに、他端部が１階居室２２に接続される第１廊下２６が配置されている。
この第１廊下２６の右側に隣接し、第１廊下２６に沿って蔵階４の蔵階居室４１に至る下階段２７が配置されている。また、第１廊下２６の一端部には、第１廊下２６に直交し、背面側の外壁１２に沿う第２廊下２８が接続されている。この第２廊下２８は第１廊下２６の一端部から右側に向かって延在し、基端部分で下階段２７の上り口を構成するとともに、先端部は建物１の背面側の右隅に配置された便所（水廻設備を備えた室）２９に突き当たっている。
【００２３】
そして、これら１階２の上部には、図７に示すように蔵Ｋ１，Ｋ２を有する蔵階４が配置され、この蔵階４では蔵Ｋ１，Ｋ２に隣接して台所４１ａを含む蔵階居室４１が配置されている。
詳細には、蔵階において、蔵階付き建物１の正面側と背面側とを２つに分けるように正面側に蔵階居室４１が左右に延在して配置され、この蔵階居室４１の奧側に２階に至る上階段４２が設けられているとともにこの上階段４２を挟んで２つの蔵Ｋ１，Ｋ２が配置されている。
また、建物の屋根の棟と下階の床との間には中央壁５０が設けられており、この中央壁によって前記蔵階居室と前記２つの蔵とが仕切られている
【００２４】
蔵階居室４１において左側の外壁１３の内壁面に沿ってシステムキッチン４１１が配置されており、蔵Ｋ１に前面側で隣接する領域を台所４１ａとして利用できるようになっている。
蔵階居室４１では、建物１の正面側に外壁１１に３つの引違い窓４１ｂ，４１ｃ，４１ｄが設けられており、これら３つの窓のうち中央と右側の窓４１ｃ，４１ｄは掃き出し窓であり、これら窓４１ｃ，４１ｄを介して蔵階居室４１から外壁面に設けられたバルコニー４７に往き来自在となっている。
【００２５】
これら蔵Ｋ１，Ｋ２と蔵階居室４１とは図５に示すように、同一の床レベルとなっており、これら蔵Ｋ１，Ｋ２と蔵階居室４１の床を構成する蔵階の床部４３は複数の床パネルを連結することで構成されている。また、蔵階４の床部４３は、複数の壁パネルを連結することで構成された下階の外壁間に亙って設けられており、これにより建物１の水平構面を構成している。また、蔵階４の床部４３上方に所定間隔離間して、床部４３と略平行に上階の床部３１を構成する床パネルが敷設されている。この床部３１の端部は、床部４３上に立設され、且つ壁パネルにより構成された上階の背面側と両側側の外壁（例えば外壁１２，１３等）の内壁面に固定されている。なお、蔵階４の床部４３と上階床部３１との間の長さが蔵Ｋ１、Ｋ２の高さとなっている。
【００２６】
蔵Ｋ１は、１階の浴室２４、洗面所２５及び玄関２３の上方に配置され、蔵Ｋ２は１階の便所２９、１階居室２２の奧側部分２２ａ、つまり便所２９と隣接する領域２２ａの上方に配置されたものとなっている。
このように、蔵階４の蔵Ｋ１は浴室２４、洗面所２５等のように、一般に天井高がほぼ一定でそれ以上高くする必要のない水回り設備を備えた室の上に配置され、蔵Ｋ２は、一般に天井高がほぼ一定でそれ以上高くする必要のない便所２９などの水回り設備を備えた室の上に配置されているので、これら蔵Ｋ１，Ｋ２の上の２階の階高、詳細には、２階居室３２，３３に大きな影響を及ぼすことがないものとなっている。
さらに蔵Ｋ１，Ｋ２は、図５に示すように、その上部で２階３の床部３１を構成する床パネルにより仕切られており、蔵Ｋ１，Ｋ２上部分にはそれぞれ２階の居室３２，３３（図８参照）が設けられている。
【００２７】
また、図７に示すように、蔵階４の蔵Ｋ１，Ｋ２と蔵階居室４１とを仕切る壁部４４には、蔵Ｋ１，Ｋ２の出入口となる開口部４５，４５が設けられ、この開口部４５，４５は引戸４５ａ，４５ａにより開閉自在となっている。
上階段４２は、その上り口が下階段２７の降り口と隣接するように設けられ、蔵Ｋ１，Ｋ２上の２階の２階居室３２，３３への往き来を可能とするものである。
【００２８】
２階３は、勾配天井を有し、図８に示すように、建物１の背面側の外壁１２に沿って、蔵Ｋ１，Ｋ２の真上に配置された２つの２階居室３２，３３と、これら２つの２階居室３２，３３の間に挟まれ、上階段４２に接続された上廊下部３４と、上廊下部３４の背面側に隣接配置された収納室３５などとが配置されている。また、居室３２，３３に隣接して、該居室３２，３３と床レベルが同一の収納庫３２ｄ，３３ｄが前記仕切り壁部４４と対向する外壁の内側に設けられている。
【００２９】
これら２つの２階居室３２，３３の床部３１には、上下方向に貫通し、真下の蔵に連通する開口部３２ａ，３３ａがそれぞれ設けられている。なお、これら開口部３２ａ，３３ａには該開口部３２ａ，３３ａを閉塞する蓋材３２ｂ，３３ｂが、床部３１と略面一となるように着脱可能に取り付けられている。
このように、２階の２階居室３２，３３の床部３１に開口部３２ａ，３３ａが形成されているので、これら開口部３２ａ，３３ａを通して、２階３の居室３２，３３と蔵階４の蔵Ｋ１，Ｋ２との往き来や、２階の居室３２，３３から蔵Ｋ１，Ｋ２に対して物品の出し入れを容易に行うことができるものとなっている。
【００３０】
また、２階居室３２を仕切る左側の外壁１３の外壁面には２階居室３２から往き来可能なバルコニー３２ｃが取り付けられている。バルコニー３２ｃは外壁１３に設けられた窓１５０を介して出入り可能となっており、この窓１５０は、屋根１４０を支持する外壁の上端部を結ぶ桁線を横切るように設けられている（図３参照）。
さらに、２階居室３２には、その前面側に２階居室３２の上方と連通し且つ、蔵階居室４１の左側の領域（ここでは蔵階居室４１における台所４１ａ領域）の真上部分に配置された収納部３６が配置されている。この収納部３６は２階居室３２と框３７で仕切られ、２階居室３２のロフトを形成している（図９参照）。このように２階居室３２に隣接して、該２階居室３２の上方と連通し且つ蔵階居室４１の真上に収納部３６が配置されているので、収納部３６の底面は２階居室３２の床部３１よりも上方に位置するものとなっており、これにより、蔵階の床部４３から収納部３６の底面までの蔵階居室４１の天井高を確保しつつ、蔵階居室４１の上方の天井部分のデッドスペースの一部を２階居室３２の収納部３６として利用したものとなっており、蔵階付き建物１内空間を有効活用したものとなっている。
【００３１】
また、この収納部３６の前面側には、収納部３６に隣接し、且つ外壁１１との間に上階の天井まで吹き抜ける吹き抜け空間Ｆ１が形成されている。
また２階居室３２，３３のうちの右側の上階居室３３と上階段４２の前面側には、上階の天井まで吹き抜けた吹き抜け空間Ｆ２が設けられており、蔵階居室４１と連通している。
【００３２】
上記蔵階付き建物１によれば、２階３と１階２の間の蔵階４に、収納室となる蔵Ｋ１，Ｋ２に隣接して床レベルが同一の蔵階居室４１が設けられ、蔵Ｋ１，Ｋ２の出入口４５が蔵階居室４１に面しているので、蔵Ｋ１，Ｋ２へ物品を搬入する作業や蔵Ｋ１，Ｋ２から物品を搬出する作業は蔵Ｋ１と同一レベルの床を有する蔵階居室４１を介して行うことができる。
これにより、蔵Ｋ１，Ｋ２を利用する際に、建物１内において下階段２７や上階段４２や階段の備える踊り場などと比べて占有スペースが大きい蔵階居室４１を用いて行うので、蔵Ｋ１，Ｋ２への物品の搬入作業や蔵Ｋ１，Ｋ２からの物品の搬出作業を容易に行うことができるとともに、蔵Ｋ１，Ｋ２の利用を蔵階居室４１のみを使用して行うことができ、蔵Ｋ１，Ｋ２に物品を収納したり、蔵Ｋ１，Ｋ２から物品を取り出したりする作業の最中でも蔵階居室４１以外の室や、階段２７，４２などを利用することができる。
【００３３】
また、蔵階居室４１には、２階３に至る上階段４２が設けられているので、蔵Ｋ１と２階３とが、蔵階居室４１及び階段４２を介して接続された状態となり、蔵Ｋ１，Ｋ２から蔵階居室４１に搬出された物品を階段４２を介して２階３に運搬することや、２階３から物品を階段４２及び蔵階居室４１を介して蔵Ｋ１，Ｋ２に搬入することができる。
【００３４】
さらに、蔵Ｋ１，Ｋ２に隣接する蔵階居室４１の上方には２階３の天井まで吹き抜ける吹き抜け空間Ｆ１，Ｆ２が設けられているので、蔵階居室４１の利用者に開放感を与えることができるとともに、居室スペースが広く、蔵Ｋ１，Ｋ２へ物品を搬入したり、蔵Ｋ１，Ｋ２から物品を搬出したりする際の作業スペースを建物の高さ方向にも確保することができ、蔵階居室４１における蔵Ｋ１，Ｋ２への物品の搬入作業性の向上及び蔵Ｋ１，Ｋ２からの物品の搬出作業性の向上が図られている。
【００３５】
図１４〜図１７には蔵階付き建物のバリエーションを示す。
これら図１４〜図１７に示す蔵階付き建物１Ａ、１Ｂでは、いずれも上階（２階３Ａ、３Ｂ）と下階（１階２Ａ、２Ｂ）の間に収納室である蔵Ｋ１，Ｋ２、Ｋ３を有する蔵階４Ａ、４Ｂを備え、蔵階４Ａ、４Ｂには蔵Ｋ１，Ｋ２、Ｋ３に隣接して床レベルが同一の蔵階居室（居室）４１、４１Ｂが設けられ、さらに、蔵Ｋ１，Ｋ２、Ｋ３の出入口４５は、蔵階居室４１、４１Ｂに面して設けられている。また、これら蔵階居室４１、４１Ｂには、それぞれ上階に至る上階段４２が設けられており、蔵階居室４１、４１Ｂの上方には、２階３Ａ、２Ｂの天井まで吹き抜ける吹き抜け空間Ｆ１とＦ２、Ｆ１とＦ３がそれぞれ設けられている。また、蔵階付き建物１Ａ、１Ｂには、蔵Ｋ１，Ｋ２、Ｋ３直下の下階部分に浴室２４、洗面所２５、便所２９などの水回り設備を備えた室のうち少なくとも一つが配置されている。そして、蔵Ｋ１，Ｋ２、Ｋ３の上の２階部分には２階の居室３２と３３、３２と３３Ｂが配置され、この２階の居室３２と３３、３２と３３Ｂの床（床部３１）には、下方の前記蔵Ｋ１，Ｋ２、Ｋ３と連通する開口部３２ａ，３３ｂがそれぞれ形成されている。
【００３６】
図１４〜図１６に示す蔵階付き建物１Ａは、主に、上述した蔵階付き建物１において１階の１階居室２２部分に台所２２Ａを設け、蔵階の蔵階居室４１の有するシステムキッチン４１１に代えて収納部４１２を設け、蔵階４における上下階段２７，４２の昇降口を間仕切り壁４８で囲ったものであり、その他の構成は略同様のものである。したがって異なる構成のみの説明を行い、その他の構成については同符号及び同名称を用いて説明は省略する。
【００３７】
蔵階付き建物１Ａの一階部分における１階居室２２Ｂの奧側に隣接して、システムキッチン２２ｃを有する台所２２Ａが配置されている。なお、この台所２２Ａは上述した蔵階付き建物１の１階居室２２の奧側部分に相当する。
この蔵階付き建物１Ａにおける台所２２Ａは、第２廊下２８と１階居室２２とを仕切る壁部２２１に形成された開口部２２１ａを介して第２廊下２８から往き来自在となっている。また、台所２２Ａは、正面側の１階の居室２２Ｂと収納家具２２ｄにより間仕切られている。
【００３８】
さらに、この台所２２Ａを仕切る右側の外壁２２２には、台所２２Ａから屋外に連通する開口部２２２ａが設けられ、この開口部２２２ａに片開き戸２２２ｂを取り付けることで勝手口が形成されている。なお、蔵階４Ａ及び２階３Ａの構成（間取り）は蔵階付き建物１の蔵階４及び２階３の構成（間取り）と同様である。つまり、蔵階付き建物１Ａでは、蔵階４Ａの蔵Ｋ２は１階の便所２９及び台所２２Ａの水回り設備を有する室の真上に配置されたものとなっている。
また、蔵階４Ａの蔵階居室４１に設けられた間仕切り壁４８は、平面視コ字状をなし、上下階段２７，４２の昇降口に対向して配置されコ字状の底部を形成する壁体と、この壁体の両側に接続されるとともに、蔵階居室４１と蔵Ｋ１，Ｋ２とを仕切る壁４４に直交して接続された側壁体とを備え、側壁体にはそれぞれ開き戸４８ａが取り取り付けられた開口部が設けられている。この開口部を介して上下階段２７，４２から蔵階居室４１に往き来可能となっている。
【００３９】
図１７に示す蔵階付き建物１Ｂは、蔵階付き建物１において間口を小さくし、略同様の間取りを有するものである。従って異なる部分の説明のみを行い、同様の構成については同名称を用いて説明は省略する。
図１７に示す蔵階付き建物１Ｂでは、上述した蔵階付き建物１において、間口を小さくして、和室２１、玄関２３、浴室２４，洗面所２５，第１廊下２６、下階段２７、便所２９、蔵Ｋ１、２階居室３２、上階段４２、収納部３６、吹き抜け空間Ｆ１はそのままで、第２廊下２８、１階居室２２、蔵階居室４１、蔵Ｋ２、吹き抜け空間Ｆ２、２階の居室３３等の専有面積をそれぞれ小さくして、第２廊下部２８Ａ、１階居室２２Ｃ、蔵階居室４１Ｂ、蔵Ｋ３、吹き抜け空間Ｆ３、２階の居室３３Ｂ等を備えた構成としている。
【００４０】
このような蔵階付き建物１Ｂでは、蔵階４Ｂの蔵階居室４１Ｂの前面側の外壁１１Ｂには２つの窓４１ｆ，４１ｇが設けられ、この外壁１１Ｂの外壁面には、窓４１ｆ，４１ｇを介して蔵階居室４１Ｂから往き来可能なバルコニー４７Ｂが左右に亘って取り付けられている。
なお、これら上述した蔵階付き建物１のバリエーションである蔵階付き建物１Ａ、１Ｂにおける作用効果は蔵階付き建物１の有する構成要素による作用効果と略同様である。
【００４１】
なお、以上の実施の形態においては、蔵階付き建物を図示された間取りを有するものとして説明したが、本発明はこれに限定されるものではなく、上階と下階の間に収納室である蔵を有する蔵階を備え、蔵階には蔵に隣接して床レベルが同一の居室が設けられ、さらに、蔵の出入口は、居室に面して設けられているものであれば、どのような間取りを有していてもよい。
また、上記実施の形態における蔵階付き建物は２階建ての住宅とし、上階を２階、下階を１階として説明したが、これに限らず上下階の間に蔵を有する蔵階を備えた建物で有ればどのような建物としてもよい。例えば、３階建て以上の建物に適用することも可能である。
【図面の簡単な説明】
【００４２】
【図１】本発明を適用した一実施の形態の蔵階付き建物の構成を示す図であり、蔵階付き建物の正面図である。
【図２】同蔵階付き建物の背面図である。
【図３】同蔵階付き建物の左側面図である。
【図４】同蔵階付き建物の右側面図である。
【図５】同蔵階付き建物の概略構成を説明する蔵階付き建物の蔵部分を含む概略立面図である。
【図６】同蔵階付き建物の１階部分の間取り図である。
【図７】同蔵階付き建物の蔵階部分の間取り図である。
【図８】同蔵階付き建物の２階部分の間取り図である。
【図９】同蔵階付き建物内部の蔵階部分を右側から見た概略図である。
【図１０】同蔵階付き建物の要部を示す縦断面図である。
【図１１】同、蔵階と２階の壁パネルを示す正面図である。
【図１２】同、蔵階と２階の壁パネルの内部を示す正面図である。
【図１３】同、図１０におけるＸ円部の拡大図である。
【図１４】本発明を適用した蔵階付き建物のバリエーションの一例を示す図であり、（ａ）は一変形例としての蔵階付き建物の正面図、（ｂ）は同蔵階付き建物の背面図である。
【図１５】図１０に示す蔵階付き建物を示す図であり、（ａ）は同蔵階付き建物の左側面図、（ｂ）は同蔵階付き建物の右側面図である。
【図１６】図１０に示す蔵階付き建物の間取りを示す図であり、（ａ）は１階の間取り図、（ｂ）は蔵階の間取り図、（ｃ）は２階の間取り図である。
【図１７】本発明を適用した蔵階付き建物のバリエーションの別の例を示す図であり、（ａ）は１階の間取り図、（ｂ）は蔵階の間取り図、（ｃ）は２階の間取り図である。
【符号の説明】
【００４３】
１，１Ａ，１Ｂ    蔵階付き建物
２      １階（下階）
３，３Ａ      ２階（上階）
４，４Ａ，４Ｂ      蔵階
２７      上下階段
３２      上階居室
３２ｄ  収納庫
３２ａ      開口部
３３      上階居室
３３ｄ  収納庫
４１，４１Ａ，４１Ｂ      蔵階居室
４２      上階段（階段）
４４  仕切り壁部
Ｋ１，Ｋ２，Ｋ３      蔵
【図１】
2006118354.tif 000003
【図２】
2006118354.tif 000004
【図３】
2006118354.tif 000005
【図４】
2006118354.tif 000006
【図５】
2006118354.tif 000007
【図６】
2006118354.tif 000008
【図７】
2006118354.tif 000009
【図８】
2006118354.tif 000010
【図９】
2006118354.tif 000011
【図１０】
2006118354.tif 000012
【図１１】
2006118354.tif 000013
【図１２】
2006118354.tif 000014
【図１３】
2006118354.tif 000015
【図１４】
2006118354.tif 000016
【図１５】
2006118354.tif 000017
【図１６】
2006118354.tif 000018
【図１７】
2006118354.tif 000019